(57)【特許請求の範囲】
【請求項１】
記録材に画像を形成する記録部、記録材を少なくとも記録位置において支持するベルト、及び前記記録部が前記ベルトの送り方向に対して直交する方向に沿って往復移動して記録を行うように支持・案内するレールを有する記録装置において、
前記レールに沿って引き出されて前記ベルトに貼り付けられる両面粘着テープを保持するテープ保持具を所定位置に固定するテープ保持具固定部を前記レールに設けたことを特徴とする記録装置。
【請求項２】
前記ベルトに前記両面粘着テープを貼り付ける際に、位置決め用指標として機能する位置決め具を所定位置に固定する位置決め具固定部を有し、該位置決め具固定部は、前記位置決め具を、前記レールに沿う方向において前記記録部と前記ベルトとの間に位置させ、前記記録部が前記ベルト側へ移動した場合、前記位置決め固定部により前記記録部が係止されるように前記位置決め具を固定することを特徴とする請求項１に記載の記録装置。
【請求項３】
記録材に画像を形成する記録部、記録材を少なくとも記録位置において支持するベルト、及び前記記録部が前記ベルトの送り方向に対して直交する方向に沿って往復移動して記録を行うように支持・案内するレールを有する記録装置のテープ保持具であって、
前記レールに沿って引き出されて前記ベルトに貼り付けられる両面粘着テープのリールを回転可能に支持する支持部材及び記録装置の所定位置に取り付けるための係合部、及び前記リールから取り出されるテープに張力を付与する張力付与手段を有し、前記係合部は、前記レールに固定されたテープ保持具固定部に係合することを特徴とするテープ保持具。
【請求項４】
記録材に画像を形成する記録部、記録材を少なくとも記録位置において支持するベルト、及び前記記録部が前記ベルトの送り方向に対して直交する方向に沿って往復移動して記録を行うように支持・案内するレールを有する記録装置の粘着テープ貼り付け用位置決め具であって、
前記レールに沿って引き出されて前記ベルトに貼り付けられる両面粘着テープの貼り付けの際の目標位置を示す位置合わせ部及び記録装置の所定位置に取り付ける為の係合部を有し、前記位置合わせ部は、前記ベルトに貼り付けられる両面粘着テープの幅にほぼ等しい幅の先端を有するとともに、前記位置決め具は、前記レールに沿う方向において前記記録部と前記ベルトとの間に位置し、前記記録部が前記ベルト側へ移動した場合、前記記録部を係止するように固定されることを特徴とする粘着テープ貼り付け用位置決め具。
【請求項５】
記録材に画像を形成する記録部、記録材を少なくとも記録位置において支持するベルト、及び前記記録部が前記ベルトの送り方向に対して直交する方向に沿って往復移動して記録を行うように支持・案内するレールを有する記録装置において、
記録材を支持するベルトに粘着層を形成する粘着層形成モードを有するとともに、操作釦及び前記ベルトを送るベルト送り手段を備え、前記粘着層形成モードにおいて、前記釦の１回の操作毎に前記ベルト送り手段により、前記ベルトを、前記レールに沿って引き出されて前記ベルトに貼り付けられる両面粘着テープの幅にほぼ等しい距離移動させることを特徴とする記録装置。
【請求項６】
前記記録装置はインクジェット記録装置であることを特徴とする請求項１、２、５のいずれか１項に記載の記録装置。
【請求項７】
記録材に画像を形成する記録部、記録材を少なくとも記録位置において支持するベルト、及び前記記録部が前記ベルトの送り方向に対して直交する方向に沿って往復移動して記録を行うように支持・案内するレールを有するインクジェット記録装置のベルトに粘着層を形成する方法であって、
（１）両面粘着テープを保持するテープ保持具を前記レールに設置する工程、
（２）前記テープ保持具に両面粘着テープのリールを装填する工程、
（３）前記リールから前記両面粘着テープを前記レールに沿って取り出して、前記ベルトに貼り付ける工程及び、
（４）前記ベルトを所定距離移動させる工程
を含み、前記（３）及び（４）の工程を繰り返すことにより、前記ベルトに前記両面粘着テープを貼り付けて、前記ベルト上に粘着層を形成することを特徴とするインクジェット記録装置のベルトに粘着層を形成する方法。
【発明の詳細な説明】
【技術分野】
【０００１】
本発明は、インクジェット記録装置等の記録装置において、記録材を支持するベルトに粘着層を形成する技術に関する。
【背景技術】
【０００２】
シート状或いはベルト状の記録材に画像を記録する画像記録技術において、記録材としては種々のものがあるが、織布、不織布等の布に画像を記録する技術が開発されており、服飾用布地など各種の布地を作成する際に、模様の型を作成する工程を経ることなく、布生地に直接模様を形成することが可能になって来ている。
【０００３】
このような画像形成を可能とした代表的な技術としてインクジェット記録技術ある。インクジェットによる画像記録においては、インク滴を飛翔させて記録面に着弾させるので、記録ヘッドと記録面とが所定の間隔をもって対向した状態で画像記録が行われる。
【０００４】
このように記録ヘッドと記録面とが非接触であることから、粗面からなる記録面を有する布等の記録材にも画像を形成することが可能となった。
【０００５】
しかして、布など、わずかな力で屈曲や変形を起こす記録材に画像を形成する場合に、形状や寸法に関して高い精度を維持して画像を記録するには、記録材を支持体上にしっかりと固定することが必要であり、且つ、生産性を上げるには、記録材を支持体に固定し、画像記録し、記録後に記録材を支持体から取り外す工程が迅速に行われることが必要であり、これらの条件を満たすための技術開発が行われている。
【０００６】
前記の条件を満たす技術として、支持体に記録材を粘着力で固定する技術があが、この技術を用いる場合、粘着性を維持することが必要になる。
【０００７】
特許文献１では、支持体上に形成した粘着層が、使用により劣化した場合に、加熱、洗浄等により粘着性を回復することが提案されている。
【０００８】
特許文献２では、粘着性が低下したベルトを交換する技術が提案されている。
【特許文献１】特開２００２−２９１１０号公報
【特許文献２】特開２００４−２９９８２６号公報
【発明の開示】
【発明が解決しようとする課題】
【０００９】
記録材を支持する支持体の粘着性が低下した場合、特許文献１のように粘着性を回復する処理を行う技術には限界があり、加熱や洗浄によっては、必要な粘着性を得ることが出来なくなるという問題がある。
【００１０】
また、特許文献２のように、ベルト自体を交換する技術では、ベルトの交換のために、装置を分解する必要があるなど交換が困難な作業となるという問題や、エンドレスベルト交換のためにコストが高くなるという問題がある。特許文献２では、交換作業を容易化するために、継ぎ目のあるエンドレスベルトを用いているが、このようなベルトでは、継ぎ目部のベルト表面に凹凸ができて、この部分で支持された記録材の表面に凹凸ができて画質が低下する可能性があるという問題がある。
【００１１】
本発明は、所定の粘着性を維持するための従来技術における前記のような問題を解決し、簡単な作業でベルト上に粘着層を形成し、常に所定の粘着性を記録材支持体に持たせることを可能にする技術を提供することを目的とする。
【課題を解決するための手段】
【００１２】
前記目的は下記の発明により達成される。
１．
記録材に画像を形成する記録部、記録材を少なくとも記録位置において支持するベルト、及び前記記録部が前記ベルトの送り方向に対して直交する方向に沿って往復移動して記録を行うように支持・案内するレールを有する記録装置において、
前記レールに沿って引き出されて前記ベルトに貼り付けられる両面粘着テープを保持するテープ保持具を所定位置に固定するテープ保持具固定部を前記レールに設けたことを特徴とする記録装置。
２．
前記ベルトに前記両面粘着テープを貼り付ける際に、位置決め用指標として機能する位置決め具を所定位置に固定する位置決め具固定部を有し、該位置決め具固定部は、前記位置決め具を、前記レールに沿う方向において前記記録部と前記ベルトとの間に位置させ、前記記録部が前記ベルト側へ移動した場合、前記位置決め固定部により前記記録部が係止されるように前記位置決め具を固定することを特徴とする前記１に記載の記録装置。
３．
記録材に画像を形成する記録部、記録材を少なくとも記録位置において支持するベルト、及び前記記録部が前記ベルトの送り方向に対して直交する方向に沿って往復移動して記録を行うように支持・案内するレールを有する記録装置のテープ保持具であって、
前記レールに沿って引き出されて前記ベルトに貼り付けられる両面粘着テープのリールを回転可能に支持する支持部材及び記録装置の所定位置に取り付けるための係合部、及び前記リールから取り出されるテープに張力を付与する張力付与手段を有し、前記係合部は、前記レールに固定されたテープ保持具固定部に係合することを特徴とするテープ保持具。
４．
記録材に画像を形成する記録部、記録材を少なくとも記録位置において支持するベルト、及び前記記録部が前記ベルトの送り方向に対して直交する方向に沿って往復移動して記録を行うように支持・案内するレールを有する記録装置の粘着テープ貼り付け用位置決め具であって、
前記レールに沿って引き出されて前記ベルトに貼り付けられる両面粘着テープの貼り付けの際の目標位置を示す位置合わせ部及び記録装置の所定位置に取り付ける為の係合部を有し、前記位置合わせ部は、前記ベルトに貼り付けられる両面粘着テープの幅にほぼ等しい幅の先端を有するとともに、前記位置決め具は、前記レールに沿う方向において前記記録部と前記ベルトとの間に位置し、前記記録部が前記ベルト側へ移動した場合、前記記録部を係止するように固定されることを特徴とする粘着テープ貼り付け用位置決め具。
５．
記録材に画像を形成する記録部、記録材を少なくとも記録位置において支持するベルト、及び前記記録部が前記ベルトの送り方向に対して直交する方向に沿って往復移動して記録を行うように支持・案内するレールを有する記録装置において、
記録材を支持するベルトに粘着層を形成する粘着層形成モードを有するとともに、操作釦及び前記ベルトを送るベルト送り手段を備え、前記粘着層形成モードにおいて、前記釦の１回の操作毎に前記ベルト送り手段により、前記ベルトを、前記レールに沿って引き出されて前記ベルトに貼り付けられる両面粘着テープの幅にほぼ等しい距離移動させることを特徴とする記録装置。
６．
前記記録装置はインクジェット記録装置であることを特徴とする前記１、２、５のいずれか１項に記載の記録装置。
７．
記録材に画像を形成する記録部、記録材を少なくとも記録位置において支持するベルト、及び前記記録部が前記ベルトの送り方向に対して直交する方向に沿って往復移動して記録を行うように支持・案内するレールを有するインクジェット記録装置のベルトに粘着層を形成する方法であって、
（１）両面粘着テープを保持するテープ保持具を前記レールに設置する工程、
（２）前記テープ保持具に両面粘着テープのリールを装填する工程、
（３）前記リールから前記両面粘着テープを前記レールに沿って取り出して、前記ベルトに貼り付ける工程及び、
（４）前記ベルトを所定距離移動させる工程
を含み、前記（３）及び（４）の工程を繰り返すことにより、前記ベルトに前記両面粘着テープを貼り付けて、前記ベルト上に粘着層を形成することを特徴とするインクジェット記録装置のベルトに粘着層を形成する方法。
【発明の効果】
【００１３】
本発明により、テープリールから両面粘着テープを取り出して、ベルトに貼り付けるという簡単な作業で、ベルト上に粘着層を形成することができるので、装置のユーザにおいても、容易にベルトの粘着性を回復することが可能となり、高画質の画像を長期間にわたって記録することが可能になる。
【発明を実施するための最良の形態】
【００１４】
以下に本発明を実施の形態を用いて説明するが、本発明は該実施の形態に限られない。
【００１５】
図１は本発明の実施の形態に係るインクジェット記録装置の概略正面図、図２は概略側面図である。
【００１６】
ノズルからインク滴を吐出し、記録材に飛着させ、画像を記録する記録部１は、レール２の凸条２１により支持されてＸ方向に往復移動して、ベルト３により保持された記録材Ｐに画像を記録する。画像記録においては、記録部１がＸ方向に移動するとともに、記録材ＰがＸに直交するＹ方向に移動して、記録材Ｐが面走査されて画像が形成される。
【００１７】
ベルト３は樹脂からなるベルト基材３４上に粘着層６Ａが形成された構成を有し、布等の記録材Ｐを粘着力で保持し、記録材Ｐの変位や変形を防止している。ベルト３は３個のローラ３１、３２、３３に張架され、記録部Ｐが１往復する毎に、Ｙ方向に所定距離移動する。
【００１８】
粘着層６Ａはローラ３１、３２、３３に張架されたベルト基材３４に両面粘着テープを貼り付けることにより形成される。
【００１９】
以下に、粘着層６Ａをベルト基材３４上に形成する工程について、図１〜図１１を参照して説明するが、このような粘着層形成工程は、インクジェット記録装置の稼働開始時や、稼働の結果、粘着層６Ａが劣化したときに行われる。
【００２０】
図３は図１における線Ａ−Ａに沿った断面図、図４はテープ保持具の正面図、図５はレールに固定されたテープ保持具の側面図、図６は両面粘着テープを貼り付ける状態を示す図、図７は、両面粘着テープの貼り付け位置を決める位置決め具の装着を示す図、図８は位置決め具を示す図、図９は密着部材を示す図、図１０は両面粘着テープをベルト基材に貼り付ける状態を示す図、図１１は両面粘着テープ６が貼り付けられたベルト３を示す図、である。
【００２１】
記録部１を支持案内するレール２には、両面粘着テープ６を保持するテープ保持具５を固定するテープ保持具固定部４が固定される。
【００２２】
レール２は図３に示すように、断面が縦長の形状を有し、記録部１を支持しガイドする凸条２１やテープ保持具固定部４を固定するネジ４１が取り付けられる複数の溝２２を有する。
【００２３】
テープ保持具固定部４はネジ４１により、図１に示すように記録部１が移動して画像を記録する記録範囲Ｗの外の位置でレール２に固定され、また、突起４２を有する。テープ保持具固定部４にはテープ保持具５が固定される。テープ保持具５を固定するに際しては、２個の取っ手５６によりテープ保持具５を保持して、テープ保持具固定部４の上方に接近させ、テープ保持具固定部４の突起４２をテープ保持具５の係合部としての取付穴５７に嵌入させることにより、テープ保持具５を所定位置に設置する。なお、図６に示すように、取付穴５７はレール２の長手方向に沿って２個設けられ、突起４２もこれに対応して２個設けられる。
【００２４】
テープ保持具５は図４に示すように、その中央上部に、支持部としての軸５２を有し、軸５２により、両面粘着テープ６の元巻きリール６１が支持されている。
【００２５】
テープ保持具５の上部には更に、張力付与手段５５が支持腕５３設けられる。支持腕５３はテープ保持具５の枠に固定された軸５４に回転自在に支持されており、張力付与手段は支持腕５３及び張力付与手段５５の自重で両面粘着テープ６に所定の圧力接触する。張力付与手段５５はゴム等の弾性材料で構成されたローラ状のものであり、支持腕５３に固定されているので、両面粘着テープ６がリール６１から繰り出される際に繰り出し抵抗となり、両面粘着テープ６に所定の張力を付与する。
【００２６】
テープ保持具５は図示のように箱状の枠体で構成され、その側壁には、透孔５Ａが形成されている。透孔５Ａを通して両面粘着テープ６の残量を確認することができる。
【００２７】
テープ保持具５は図６に示すように、ベルト３の幅方向の一方の端に近接して設けられるが、ベルト３の幅方向の他方の端に近接して、位置決め具７が設けられる。
【００２８】
位置決め具７は図８に示すように、取付板７１、位置合わせ部７２及び取っ手７３を有し、図７に示すように、装置本体に固定された位置決め具固定部８に取付板７１に設けられた係合部としての溝７１Ａを嵌合させることにより、位置決め具７がレール２に対して、所定の位置に設置される。位置合わせ部７２は、その幅が両面粘着テープ６の幅に等しく形成されており、位置決め具７が所定位置に設置された状態では、両面粘着テープ６が貼り付けられるべき位置を示す指標となる。
【００２９】
密着部材８は、図９に示すように、押圧ローラ８１及び取っ手８２を有し、ベルト３上に弾性ローラ８１を押しつけながら、密着部材８をベルト３上で移動させることにより、両面粘着テープ６をベルト基材３４に強固に、且つ、均一に密着させる。押圧ローラ８１としては、粘着テープに貼り付かない弾性材料からなり、例えば、硬度１０°（アスカーＡ型）のシリコーンゴムが好ましく用いられる。
【００３０】
両面粘着テープ６をベルト基材３４に貼り付ける密着層形成の作業は次のように行われる。
（１）インクジェット記録装置を粘着層形成モードに設定する。
【００３１】
なお、インクジェット記録装置は、記録部１及びレール２を備えているが、レール２には、テープ保持具固定部４が設置されている。
（２）テープ保持具５をテープ保持具固定部４に取り付けるとともに、位置決め具７を位置決め具固定部８に固定する。位置決め具７は図６に示すように、待機位置に退避している記録部１とベルト３の間に位置するように設置される。従って、粘着層形成作業中に、誤作動を起こして、記録部１が暴走した場合に、位置決め具７は記録部１をベルト３の手前でブロックし、ベルト３等に損傷を与える等の事故を防止する安全手段として機能する。
（３）次に、テープ保持具５にテープリール６１を装着する。
（４）次に、両面粘着テープ６をテープ保持具５からテープ引き出して、位置決め具７の近傍まで展開し、両面粘着テープ６を位置合わせ部７２に合わせた後に、ベルト基材３４に密着させる。この操作においては、張力付与部材５５の摩擦抵抗により、両面粘着テープ６に適正な張力が付与されるので、たるみや皺の発生が防止される。
【００３２】
図１０は両面粘着テープの貼り付け時の状態を示すが、同図に示すように、両面粘着テープの先端をベルト基材３４に固定する。次に、密着部材８を図１０の左から右に向けて移動させることにより、両面粘着テープ６がベルト基材３４に貼り付けられる。
（５）貼り付け後、両面粘着テープ６を切断し、ベルト基材３４を所定距離Ｙ方向（図２参照）に移動させる。このベルト基材３４の移動は、予めプログラムされており、ベルト送り釦（図示せず）を１回押す操作で、モータ（図示せず）が所定距離ベルト基材３４を送ることにより行われる。図１１は、両面粘着テープ６が貼り付けられたベルト４を示すが、図示のように、多数本の両面粘着テープ６を６Ａで示すように一部重ねて貼り付けることが望ましい。このために、モータによるベルト４の送りは、両面延着テープ６の幅にほぼ等しい距離ベルト４を移動させるように行われるが、ベルト４の幅よりもわずかに短い距離ベルトを移動させることが望ましい。この移動の際に記録部１は図１に示すように、記録範囲外の位置に退避して静止している。
【００３３】
前記工程の（４）及び（５）を繰り返すことにより、ベルト基材３４の全面に両面粘着テープ６が貼り付けられる。
【図面の簡単な説明】
【００３４】
【図１】本発明の実施の形態に係るインクジェット記録装置の概略正面図である。
【図２】本発明の実施の形態に係るインクジェット記録装置の概略側面図である。
【図３】図１における線Ａ−Ａに沿った断面図である。
【図４】テープ保持具の正面図である。
【図５】レールに固定されたテープ保持具の側面図である。
【図６】両面粘着テープを貼り付ける状態を示す図である。
【図７】両面粘着テープの貼り付け位置を決める位置決め具の装着を示す図である。
【図８】位置決め具を示す図である。
【図９】密着部材を示す図である。
【図１０】両面粘着テープをベルト基材に貼り付ける状態を示す図である。
【図１１】両面粘着テープ６が貼り付けられたベルト３を示す図である。
【符号の説明】
【００３５】
１  記録部
２  レール
３  ベルト
４  固定部
５  テープ保持具
６  両面粘着テープ
６Ａ  粘着層
７  位置決め具
８  密着部材
３４  ベルと基材
Ｐ  記録材
【図１】
0004745095.tif 000002
【図２】
0004745095.tif 000003
【図３】
0004745095.tif 000004
【図４】
0004745095.tif 000005
【図５】
0004745095.tif 000006
【図６】
0004745095.tif 000007
【図７】
0004745095.tif 000008
【図８】
0004745095.tif 000009
【図９】
0004745095.tif 000010
【図１０】
0004745095.tif 000011
【図１１】
0004745095.tif 000012